(57)【要約】【課題】構造が簡単であるにもかかわらず、一度の逆さ操作により定量の粉粒体を瓶から取り出すことのでき、しかも、瓶蓋の使用ができる粉粒体の定量吐出栓を提供する。【解決手段】口部外周に蓋をする容器において、粉粒体の定量吐出栓であって、シール栓の一端に切欠状に吐出口を設けるとともに、吐出口の両側縁に平行に相対面する仕切片を垂設し、吐出口を封じる面状の小口平蓋に、その開きと同時に粉粒体の掻出し動作をするように、両仕切片の間に常時挟まれる掻出し用の可動ヘラを屈曲して一体に設け、小口平蓋を常時閉に保持し得るように小口平蓋の両側に吐出口の両側に離脱可能に係合する掛止爪を突設し、小口平蓋に掛止爪を外すことにより開き得るよう指掛けを設け、また、吐出口の両側に仕切片の掻出し終了時に掛かるストッパーを具備し、さらに、シール栓には、小口平蓋に対する可動ヘラの屈曲角度を変え得る調整装置を設けた。【選択図】    図１
0003125245.tif 000002
【実用新案登録請求の範囲】
【請求項１】
口部外周に蓋をする容器において、粉粒体の定量吐出栓であって、シール栓の一端に切欠状に吐出口を設けるとともに、吐出口の両側縁に平行に相対面する仕切片を垂設し、吐出口を封じる面状の小口平蓋に、その開きと同時に粉粒体の掻出し動作をするように、両仕切片の間に常時挟まれる掻出し用の可動ヘラを屈曲して一体に設け、小口平蓋を常時閉に保持し得るように小口平蓋の両側に吐出口の両側に離脱可能に係合する掛止爪を突設し、小口平蓋に掛止爪を外すことにより開き得るよう指掛けを設け、また、吐出口の両側に仕切片の掻出し終了時に掛かるストッパーを具備し、さらに、シール栓には、小口平蓋に対する可動ヘラの屈曲角度を変え得る調整装置を設けたことを特徴とする粉粒体の定量吐出栓。
【請求項２】
可動ヘラの下端にそれを元の位置に復帰させる重りを取り付けてあり、また、調整装置については、小口平蓋に対して可動ヘラが弾性変形して角度変化するようにプラスチックで一体成形され、シール栓に摘みにより回転する縦軸を設けるとともに、その下端に可動ヘラを押し付けて前記弾性変形をさせる側部脚を設けたことを特徴とする請求項１記載の粉粒体の定量吐出栓。
【考案の詳細な説明】
【技術分野】
【０００１】
この考案は、例えば、インスタントコーヒー、砂糖、小麦粉、洗剤等が入っている瓶（ガラスやプラスチック製の容器）から、それらの粉粒体を一定量ずつ取り出す定量吐出栓に関する。なお、粉粒体とは、粉末や顆粒の状態を意味する。
【背景技術】
【０００２】
粉粒体を使用するときには、一般的にそれをスプーンですくって適量において瓶等から取り出しているが、スプーンを使用することに要する手間（仕舞う・洗う等の手数）が掛かるために、それを要しないで瓶の口を傾けるだけで定量が吐出されるようにした粉粒体の定量吐出栓が提案される。図７はその一従来例を示したものである。
【０００３】
同図の粉粒体の定量吐出栓Ｐａは、瓶Ｑａの口に嵌め込み螺着される本体１０１（２部材からなっている）と、本体１０１に回転可能に被着される蓋１０３とからなるもので、本体１０１には、瓶Ｑａを逆さにすると粉粒体が切欠口１０５から流入する予備室１０７を上部に設ける他、次いで元に正立させると予備室１０７から粉粒体が落下する計量室１０９を設け、また、切欠口１０５の反対側には、計量室１０９から瓶口に通じる排出路１１１を設け、計量室１０９の底壁１１３が排出路１１１への案内傾斜に形成される
【０００４】
したがって、計量室１０９に溜まった定量の粉粒体を吐出するには、瓶Ｑを再び逆さにする必要がある。また、この時には排出路１１１の口１１５に蓋１０３の口１１７を合わせておく必要がある。
【特許文献１】公開実用新案公報平成２−４８５６６号
【考案の開示】
【考案が解決しようとする課題】
【０００５】
上記のような従来の粉粒体の定量吐出栓によれば、定量吐出の操作においては、瓶Ｑａを一旦逆さにして計量室１０９に粉粒体を貯留し、もう一度逆さにして計量室１０９の粉粒体を吐出路１１１から排出するものであるから、逆さ操作が再度必要とする二度手間となるばかりでなく、最初の逆さは後ろ側Ｒａ１、次の逆さは前側Ｒｂへとなるので、操作が非常に煩わしく、また、構造が複雑で量産に適しないばかりか、瓶Ｑａのねじ１１９が隠れるので、瓶蓋が使用できなかった。
【０００６】
この考案は、上記のような実情に鑑みて、構造が簡単であるにもかかわらず、一度の逆さ操作により定量の粉粒体を瓶から取り出すことのでき、しかも、瓶蓋の使用ができる粉粒体の定量吐出栓を提供することを課題とした。
【課題を解決するための手段】
【０００７】
上記の課題を解決するために、この考案は、口部外周に蓋をする容器において、粉粒体の定量吐出栓であって、シール栓の一端に切欠状に吐出口を設けるとともに、吐出口の両側縁に平行に相対面する仕切片を垂設し、吐出口を封じる面状の小口平蓋に、その開きと同時に粉粒体の掻出し動作をするように、両仕切片の間に常時挟まれる掻出し用の可動ヘラを屈曲して一体に設け、小口平蓋を常時閉に保持し得るように小口平蓋の両側に吐出口の両側に離脱可能に係合する掛止爪を突設し、小口平蓋に掛止爪を外すことにより開き得るよう指掛けを設け、また、吐出口の両側に仕切片の掻出し終了時に掛かるストッパーを具備し、さらに、シール栓には、小口平蓋に対する可動ヘラの屈曲角度を変え得る調整装置を設けたことを特徴とする粉粒体の定量吐出栓を提供する。
【０００８】
粉粒体の定量吐出栓を上記のように構成したから、瓶には蓋を被せておくことにより粉粒体の湿りを防止できるもので、粉粒体を取り出すときには、蓋を外してから、吐出口の側へ傾けながら逆さにした状態で小口平蓋を指掛けにより開く。そうすると、可動ヘラが同時に吐出口に向かって回動するので、両仕切片の間の粉粒体が掻きだされ、可動ヘラがストッパーに停止して吐出口を封じるので、それまでに粉粒体が一定量だけ排出される。その後は瓶を正立させて小口平蓋を戻して吐出口を閉じると、同時に可動ヘラが下がる。この下がった状態を保持しやすく、その下端に重りを取り付けることもある（請求項２）。また、吐出量を増減させるには、調整装置により小口平蓋に対する可動ヘラの角度を調整する。
【考案の効果】
【０００９】
以上説明したように、この考案の粉粒体の定量吐出栓によれば、構造が簡単であるので量産に適することはもちろん、一度の逆さ操作により定量の粉粒体を瓶から取り出すことのできるばかりかその量を調整し得るため好都合であり、しかも、瓶蓋の使用ができるから内容物としての粉粒体の保存性を高め得る等の優れた効果がある。
【考案を実施するための最良の形態】
【００１０】
次に、この考案の実施形態を図面に基づいて説明する。
【００１１】
図１ないし図５は、インスタントコーヒーの包装瓶Ｑについて実施した一例を示したもので、その粉粒体の定量吐出栓Ｐは、瓶Ｑに最初（販売時）から付けられているシール栓として実施したが、ユーザーにおいて取り付けるようにすることもある。２が蓋１を螺着する雄ねじである。
【００１２】
定量吐出栓Ｐは、プラスチック製であって、瓶Ｑの口端縁に接着されているシール栓７を主体とし、シール栓７の一端部に吐出口９を設けたものであるが、吐出口９を開口するについて、その部分を左右に二つ割りに切り下げることにより、左右両縁に仕切片１１，１１を相対面して平行に垂設してある。そして、吐出口９を開閉する小口平蓋１３には、両仕切片１１，１１の間に挟まれる可動ヘラ１５が屈折して一体に形成され、それが屈折の内角に固着した軸１７を中心に揺動するようになっている。軸１７は、両仕切片１１，１１に貫通して支持され、軸１７を中心に小口平蓋１３を開くと、同時に可動ヘラ１５が粉粒体を掻き出すように動作する。なお、この実施例では、可動ヘラ１５をＬ字形に屈曲させて構成したが、コ字形状或いはボックス形状に構成してもよいことは当然である。
【００１３】
小口平蓋１３は、常時閉じておく必要があるので、閉じに保持し得るように、小口平蓋１３の左右に掛止爪１９，１９を突設し、吐出口９の左右縁には掛止爪１９，１９が掛かる係合孔２１，２１を両仕切片１１，１１に細孔を形成して設けてある。また、可動ヘラ１５にはそれが常時垂れているように下端に重り２３が取り付けられる。これも小口平蓋１３を閉に保持する作用がある。また、シール栓７には、吐出口９の形成と同時に可動ヘラ１５を止めるストッパー２０，２０が形成される。
【００１４】
小口平蓋１３の先が指掛け１４となっており、瓶Ｑを逆さにして粉粒体を口部に移しかえた時に（図５の状態）、小口平蓋１３に指を掛けながらそれを開くと、可動ヘラ１５が一体に回動することにより両仕切片１１，１１の間の粉粒体を掻き出す（図５の矢印参照）。図６は、掻出しの最終状態を示したもので、可動ヘラ１５がストッパー２０，２０に止められた状態において吐出口９を封じているから、瓶Ｑを正立させてから、小口平蓋１３を閉じる（同図二点鎖線）。
【００１５】
可動ヘラ１５は、重り２３により元に復帰しやすい。また、可動ヘラ１５の回動範囲は、小口平蓋１３に対する屈曲角度の程度により変化するので、吐出量を調整する手段としてその角度を変化させ得るように、その調整装置２５がシール栓７に設けられる。
【００１６】
調整装置２５は、小口平蓋１３と可動ヘラ１５とのプラスチックの一体成形に伴う弾性変形を利用したもので、シール栓７に摘み２７で回転する縦軸２９を設けるとともに、縦軸２９に可動ヘラ１５に押し当たる側部脚３１を屈折して一体に設け、シール栓７の下には、縦軸２９を回転位置で固定し得る調整軸受け３３が設けられる。したがって、摘み３を回転して可動ヘラ１５を押すことにより、可動ヘラ１５と小口平蓋１３との間の角度を（図４においてαからβへ）小さく設定すれば、粉粒体の吐出量が少なくなるように設定したことになる。
【図面の簡単な説明】
【００１７】
【図１】この考案の粉粒体の定量吐出栓を装備した瓶の斜視図である。
【図２】同粉粒体の定量吐出栓を口閉じ状態で示す斜視図である。
【図３】同粉粒体の定量吐出栓を口開き状態で示す斜視図である。
【図４】図１に示す瓶の口部を口閉じ状態において示すＡ−Ａ線矢視の拡大断面図である。
【図５】同部分を粉粒体の吐出操作の中途で示す断面図である。
【図６】同部分を粉粒体の吐出完了時で示す断面図である。
【図７】従来例を示す瓶の断面図である。
【符号の説明】
【００１８】
Ｐ  粉粒体の定量吐出栓
Ｑ  瓶
１  蓋
２  雄ねじ
７  シール栓
９  吐出口
１１  仕切片
１３  小口平蓋
１４  指掛け
１５  可動ヘラ
１９  掛止爪
２０  ストッパー
２３  重り
２５  調整装置
２７  摘み
２９  縦軸
３１  側部脚
【図１】
0003125245.tif 000003
【図２】
0003125245.tif 000004
【図３】
0003125245.tif 000005
【図４】
0003125245.tif 000006
【図５】
0003125245.tif 000007
【図６】
0003125245.tif 000008
【図７】
0003125245.tif 000009